(57)【要約】【課題】パッケージ側に設けた素子搭載用パッド上に導電性接着剤を介して圧電振動素子の一端寄りの下面を接着して片持ち支持構造とした場合に、接着時の加圧力によって導電性接着剤が圧電振動素子の振動領域側にはみ出してその共振周波数を変動させたり、はみ出した導電性接着剤が素子搭載用パッドとその近傍に位置する金属部材とを短絡させることを防止する。【解決手段】振動領域１１ａと、該振動領域と連設一体化された被接続領域１１ｂと、を備えた圧電基板であって、被接続領域の一面には、凹部、或いは貫通穴から成る接着剤収容部２０を形成した。【選択図】図１
2009171591.tif 000002
【特許請求の範囲】
【請求項１】
パッケージと、
前記パッケージに収容された圧電基板と、を備えた圧電振動子であって、
前記圧電基板は、前記パッケージに導電性接着剤を用いて接合される被接続領域と、前
記被接続領域と連設一体化された振動領域と、を有し、
前記被接続領域は、前記振動領域よりも厚肉の厚肉部と、該厚肉部に設けた導電性接着
剤収容部とを有し、
前記導電性接着剤収容部は、貫通穴、或いは段差部からなることを特徴とする圧電振動
子。
【請求項２】
前記導電性接着剤収容部の外周を環状部（環状凸部）により包囲したことを特徴とする
請求項１に記載の圧電振動子。
【請求項３】
前記被接続領域の少なくとも前記振動領域側に、導電性接着剤の堰き止め効果を有する
凸部を設け、該凸部の一側面に凹所を設けたことを特徴とする請求項１、又は２に記載の
圧電振動子。
【発明の詳細な説明】
【技術分野】
【０００１】
本発明は表面実装用のパッケージ上に配置した素子搭載用パッド上に導電性接着剤によ
って圧電振動素子を片持ち状態で電気的機械的に接続した圧電振動子に関する。
【背景技術】
【０００２】
図１１（ａ）（ｂ）及び（ｃ）は特許文献１に開示された従来の表面実装型の水晶振動
子等の縦断面図、要部平面図、及び要部縦断面図である。この水晶振動子１０１は、セラ
ミック等の絶縁材料から成るパッケージ１０２の上面に形成されたキャビティ１０３の内
底面に配置した内部端子（電極パッド）１０４上に導電性接着剤１０５を用いて水晶振動
素子１１０を片持ち状態で支持し、キャビティ１０３の開口を金属蓋１１５により気密封
止した構成を備えている。パッケージ外底面には、内部端子１０４と導通した実装端子１
０６が配置されている。また、水晶振動素子１１０は、水晶基板１１１の表裏両面に夫々
励振電極１１２と、各励振電極１１２から基板端縁に延びるリード電極１１３と、を形成
した構成を備えている。
この水晶振動子１０１は、水晶振動素子（水晶基板）の下面適所に凸部１２０を形成す
ることにより、キャビティ内底面と水晶振動素子下面との間に挟まれた導電性接着剤１０
５の前部の量を多くしている。即ち、この水晶振動子１０１は、導電性接着剤１０５を介
して内部端子１０４と接続する際に、導電性接着剤の先端側厚さがその中間部、或いは／
及び、後方部の厚さよりも厚くなるように構成されている。
【０００３】
この従来例では、水晶振動素子１１０のリード電極１１３に対応する位置に凸部１２０
を設けたので、内部端子１０４の上面と水晶振動素子（リード電極）の下面とを導電性接
着剤１０５により接続した場合に、凸部１２０よりも前方に位置する接着剤の厚さ、量が
増大することとなり、落下時の衝撃によって水晶振動素子に対して、接着剤による保持部
を中心として上下方向（厚さ方向）へモーメントが発生したとしても、その応力を十分に
吸収緩和することが可能となる。従って、接着剤の弾性変形による応力が残留することが
なくなり、接着剤による水晶振動素子の保持部に変形が発生することがない。即ち、接着
剤側での応力集中により水晶振動素子と接着剤との接着部に微小な剥離や応力緩和が発生
することがなくなり、接着剤による水晶振動素子端部の保持状態が変わることに起因した
、特性劣化（周波数変動、等価抵抗値の変化）が発生する虞がなくなる。
【０００４】
しかし、この従来例においては、水晶振動素子側に形成した凸部１２０の下面が全面的
に平坦面であるため、同様に平坦な上面を有する内部端子１０４との間で導電性接着剤１
０５を加圧することにより該接着剤を押し潰して、水晶振動素子１１０の中心部にある振
動領域側にはみ出させて共振周波数を変動させる虞がある。
また、特許文献２には、水晶片の端部に位置するリード電極上に導電性接着剤から成る
突起を形成することにより、パッケージ側の引出電極との接触面における導電性接着剤の
広がりを防止し、支持損失を抑制した表面実装型水晶振動子が開示されている。この突起
は、円弧状の突起であるため、常に最適な形状、寸法の突起が最適の位置に形成される場
合には、導電性接着剤が押し潰されることにより周辺に広がるという事態を回避すること
も不可能ではない。しかし、実際には水晶片の端部片面上にディスペンサ等によって導電
性接着剤を滴下することにより突起を形成するため、形成される突起の位置、形状、寸法
にバラツキが発生し易く、突起が水晶片の振動領域側に変位している場合においては、突
起によって接着用の導電性接着剤が振動領域側に押し出されて振動領域に付着する虞があ
る。
また、特許文献３には、図１２に示したようにセラミックから成る平板状の底板１３０
の上面の周縁に沿って形成したメタライズ膜１３１上に環状のシールリング１３２を導電
性接着手段より立設固定すると共に、底板上に設けた内部端子１０４に対して導電性接着
剤１０５により水晶振動素子１１０の一端部下面を片持ち支持したタイプが開示されてい
る。
【０００５】
しかし、この従来例においてはパッケージの小型化が進行する程、シールリング１３２
と内部端子１０４との間の距離を近接せざるを得なくなるため、図１１に示した水晶振動
素子のように凸部から導電性接着剤への加圧によって接着剤が四方へはみ出し易いタイプ
にあっては勿論、水晶振動素子や内部端子側に凸部が存在しない従来タイプにおいても、
接着剤が僅かでもシールリング側へはみ出すことによってシールリングと内部端子との短
絡が発生する虞がある。シールリングと内部端子とが短絡すると浮遊容量が変化する等、
電気的特性が変動する原因となる。
【先行技術文献】
【特許文献】
【０００６】
【特許文献１】特開２００４−２２２００６公報
【特許文献２】特開２００４−３６３９３６公報
【特許文献３】特開２００２−２６６８０公報
【発明の概要】
【発明が解決しようとする課題】
【０００７】
従来の水晶振動子（圧電振動子）のように水晶振動素子の端部に設けた凸部とパッケー
ジ側に設けた内部端子との間を導電性接着剤により接着する際には、下面が平坦な凸部と
上面が平坦な内部端子との間で加圧される導電性接着剤の逃げ場が凸部の外周方向に極限
されるため、接着剤の一部がはみ出して、水晶振動素子の振動領域や直近位置にある導体
に付着し、水晶振動子の共振周波数を変動させる虞があった。
また、導電性接着剤によって水晶基板面に突起を形成し、この突起を利用してパッケー
ジ側の引出電極との間を導電性接着剤により接続固定する場合には、突起の位置、形状、
寸法精度を安定させることが困難であるため、接着用の導電性接着剤が周辺にはみ出して
上記と同様な不具合をもたらすという問題が起きる。
また、上面が平坦なセラミック製底板の上面に搭載した金属製シールリングの内側に形
成されるキャビティ内に配置された内部端子（素子搭載用パッド）上に、導電性接着剤を
用いて水晶振動素子を片持ち状態で支持した場合に、内部端子と水晶振動素子との間で加
圧された導電性接着剤の一部が外周へはみ出すことによってシールリングと内部端子とを
短絡させることにより圧電デバイスの電気的特性が変動する虞があった。
【０００８】
本発明は上記に鑑みてなされたものであり、パッケージ側に設けた素子搭載用パッド上
に導電性接着剤を介して圧電振動素子の一端寄りの下面を接着して片持ち支持構造とした
場合に、接着時の加圧力によって導電性接着剤が圧電振動素子の振動領域側にはみ出して
その共振周波数を変動させたり、はみ出した導電性接着剤が素子搭載用パッドとその近傍
に位置する金属部材とを短絡させることを防止しつつ、落下時の衝撃等を導電性接着剤に
より充分に吸収緩和して耐衝撃性を高めることができる圧電振動子を提供するものである
。
【課題を解決するための手段】
【０００９】
本発明は、上記の課題の少なくとも一部を解決するためになされたものであり、以下の
形態又は適用例として実現することが可能である。
【００１０】
［適用例１］本発明に係る圧電振動子は、パッケージと、前記パッケージに収容された
圧電基板と、を備えた圧電振動子であって、前記圧電基板は、前記パッケージに導電性接
着剤を用いて接合される被接続領域と、前記被接続領域と連設一体化された振動領域と、
を有し、前記被接続領域は、前記振動領域よりも厚肉の厚肉部と、該厚肉部に設けた導電
性接着剤収容部とを有し、前記導電性接着剤収容部は、貫通穴、或いは段差部からなるこ
とを特徴とする。
【００１１】
振動領域から離間した基板端縁（被接続領域）の面に導電性接着剤の一部を受け入れる
ための接着剤収容部を形成したので、パッケージ側の素子搭載用パッドと圧電振動素子と
の間で導電性接着剤が加圧された時に、従来構造であれば加圧によって外周方向にはみ出
す筈の余剰接着剤が接着剤収容部内に充填された状態となる。このため、はみ出した接着
剤が圧電振動素子の振動領域に付着して共振周波数を変動させたり、或いは近傍に位置す
る導体に付着して素子搭載用パッドとの間を短絡させる不具合がなくなる。また、接着剤
の使用量を減らす必要がないため、パッケージによる圧電振動素子の支持強度を高めるこ
とができる。即ち、接着剤量が増大することにより、落下時の衝撃によって圧電振動素子
に対して、接着剤による保持部を中心として上下方向（厚さ方向）へモーメントが発生し
たとしても、その応力を十分に吸収緩和することが可能となる。
【００１２】
［適用例２］前記導電性接着剤収容部の外周を環状部（環状凸部）により包囲したこと
を特徴とする。
【００１３】
貫通穴、或いは段差部から成る接着剤収容部の外周を環状部（環状凸部）により包囲す
ることにより、接着剤が外周方向へ流出することを防止し易くなる。
【００１４】
［適用例３］前記被接続領域の少なくとも前記振動領域側に、導電性接着剤の堰き止め
効果を有する凸部を設け、該凸部の一側面に凹所を設けたことを特徴とする。
【００１５】
凹所により接着剤の保持力、保持量を増大させることができる。
【図面の簡単な説明】
【００１６】
【図１】（ａ）乃至（ｆ）は本発明の一実施形態に係る圧電デバイスの一例としての水晶振動子の外観斜視図、縦断面図、金属蓋を除去した状態の平面図、要部縦断面図、（ｄ）のＡ−Ａ断面図、及び水晶振動素子単独の底面図である。
【図２】（ａ）及び（ｂ）は厚肉の被接続領域の接着面（内部端子との対向面）に形成する凹部、或いは貫通穴から成る接着剤収容部２０の構成を示す底面図及びＢ−Ｂ断面図である。
【図３】（ａ）及び（ｂ）は本発明の他の実施形態に係る接着剤収容部の構成を示す底面図及びＣ−Ｃ断面図である。
【図４】（ａ）及び（ｂ）は本発明の他の実施形態に係る接着剤収容部の構成を示す底面図、及びＤ−Ｄ断面図である。
【図５】（ａ）（ｂ）及び（ｃ）は本発明に係る接着剤収容部を備えた水晶基板をフォトリソグラフィ技術により製造する工程を示す図である。
【図６】（ａ）乃至（ｅ）は本発明に係る接着剤収容部を備えた水晶基板をフォトリソグラフィ技術により製造する他の工程を示す図である。
【図７】本発明に係る水晶振動素子をシームリングを使用したタイプのパッケージに適用した構成例を示す縦断面図である。
【図８】（ａ）及び（ｂ）は本発明の他の実施形態に係る水晶振動子の構成を示す縦断面図、及び要部平面図（蓋部材を取り外した状態の平面図）である。
【図９】図８の変形実施形態の要部平面図である。
【図１０】（ａ）（ｂ）及び（ｃ）は水晶基板の振動領域の厚さｔ’と、厚肉部としての被接続領域の厚さｔと、凹部（凹部）としての接着剤収容部の深さｄとの関係を説明する要部断面図である。
【図１１】被接続領域（厚肉部）にその厚み方向に貫通する貫通穴としての接着剤収容部を設けた構成例の説明図である。
【図１２】（ａ）及び（ｂ）は接着剤堰き止め用の凸部の変形例の構成を示す要部底面図である。
【図１３】本発明の一実施形態に係る水晶振動子に対して発振回路部品を組み付けることによって表面実装型の水晶発振器とした構成例を示す縦断面図である。
【図１４】（ａ）（ｂ）及び（ｃ）は特許文献１に開示された従来の表面実装型の水晶振動子等の縦断面図、要部平面図、及び要部縦断面図である。
【図１５】特許文献３に開示された従来例の説明図である。
【発明を実施するための形態】
【００１７】
以下、本発明を図面に示した実施の形態により詳細に説明する。
図１（ａ）乃至（ｆ）は本発明の一実施形態に係る圧電デバイスの一例としての水晶振
動子の外観斜視図、縦断面図、金属蓋を除去した状態の平面図、要部縦断面図、（ｄ）の
Ａ−Ａ断面図、及び水晶振動素子単独の底面図である。
この水晶振動子（圧電振動子）１は、セラミック等の絶縁材料から成るパッケージ（絶
縁容器）２の上面に形成されたキャビティ３の内底面に配置した内部端子（素子搭載用パ
ッド）４上に導電性接着剤５を用いて水晶振動素子（圧電振動素子）１０の一端部（被接
続領域１１ｂ）を片持ち状態で支持し、キャビティ３の外枠上面に金属蓋（蓋部材）１５
を固定することによりキャビティ３を気密封止した構成を備えている。パッケージ外底面
には、内部端子４等と導通した実装端子６、及び接地された実装端子６が配置されている
。パッケージ２内には、実装端子６の何れかと内部端子４との間に所定の配線を施すため
の接続導体７、或いは何れかの実装端子６と接地部との間を接続する接続導体７が形成さ
れている。
【００１８】
また、水晶振動素子１０は、水晶基板（圧電基板）１１の表裏両面に夫々励振電極１２
と、各励振電極１２から基板の一端縁に延びるリード電極１３と、を形成した構成を備え
ている。リード電極１３の端部には導電性接着剤５を介して内部端子４と接続されるパッ
ド１３ａが配置されている。
水晶振動素子１０を構成する水晶基板１１は、励振電極１２が形成される振動領域１１
ａと、振動領域１１ａと連設一体化された厚肉の被接続領域（厚肉部）１１ｂと、を備え
ている。この例では、被接続領域１１ｂは水晶振動素子側の２つのパッド１３ａと対応し
た位置に夫々一対一で対応するように合計２個設けられている。被接続領域１１ｂの下面
には、エッチングにより凹部、或いは貫通穴から成る接着剤収容部２０が形成されている
。即ち、接着剤収容部２０が形成された被接続領域１１ｂの下面、及び接着剤収容部２０
の内壁には、リード電極１３の端部に位置するパッド１３ａを構成する金属膜が形成され
ている。
【００１９】
上記の如き構成を備えた水晶基板１１を使用した水晶振動素子１０は、水晶基板１１の
表裏両面に夫々形成した励振電極１２から基板の一端縁に向けて夫々引き出されたリード
電極１３の端部に位置するパッド１３ａを、厚肉の被接続領域１１ｂの下面に形成すると
共に、被接続領域１１ｂの下面には接着剤収容部２０を形成した構成を備えている。パッ
ド１３ａを構成する金属膜は接着剤収容部２０の内壁にまで延在していても差し支えない
。
なお、例えば、図１（ｆ）中に示すように被接続領域１１ｂの一辺の寸法を０．２ｍｍ
、他辺の寸法を０．３ｍｍとした場合に、振動領域１１ａの厚みは６０μｍ、被接続領域
１１ｂの厚みは１００μｍとする一方、凹部としての接着剤収容部の深さは６０μｍか、
それよりも深くすることにより、より多くの接着剤を収容できるように構成する。
【００２０】
接着剤収容部２０内に収容できる導電性接着剤量を多くすることにより、接着剤による
支持安定性を高めて耐衝撃性を高めると共に、接着剤の外周へのはみ出し量を低減して振
動領域への付着による共振周波数の変動という不具合や、近接配置された導体との短絡に
よる水晶振動子の電気的特性の低下という不具合を防止できる。
接着剤収容部２０を凹部とした場合には導電性接着剤５が凹部の内奥部にまで入り込む
ことができずに凹部内奥部に空間（気泡）が形成される虞があるが、接着剤収容部２０の
天井面に貫通穴を形成したり、側壁に貫通穴を形成することにより（つまり、接着剤収容
部２０を貫通穴とすることにより）、接着剤を凹部の内奥部にまで浸透させることができ
る。なお、減圧下で導電性接着剤による接着を実施する場合には凹部の内奥部にまで接着
剤を浸透させることができる。接着剤収容部２０の側壁に貫通穴を形成する場合には、貫
通穴を振動領域側や近接配置された導体側とは異なった位置に設けることにより、貫通穴
から流出した接着剤が問題を惹起することがないように配慮する。
【００２１】
図１（ｅ）に示すように、被接続領域１１ｂを突起状（厚肉部）に構成し、非突起面を
介して離間配置することにより、一方の被接続領域１１ｂの接着面とパッケージ側の内部
端子（素子搭載用パッド）４との間で加圧された導電性接着剤５がはみ出しを起こしたと
しても他方の被接続領域１１ｂまで到達することがなくなる。
【００２２】
以上のように本実施形態に係る水晶振動素子１０（水晶基板１１）においては、振動領
域１１ａよりも肉厚が厚い被接続領域１１ｂの下面適所に凹部、或いは貫通穴から成る接
着剤収容部２０を形成し、この接着剤収容部内に導電性接着剤５の一部を収容することに
より、キャビティ内底面と水晶振動素子下面との間に挟まれた導電性接着剤５の使用量を
多くしている。このため、落下時の衝撃によって水晶振動素子に対して、接着剤による保
持部を中心として上下方向（厚さ方向）へモーメントが発生したとしても、その応力を十
分に吸収緩和することが可能となる。従って、接着剤の弾性変形による応力が残留するこ
とがなくなり、接着剤による水晶振動素子の保持部に変形が発生することがない。即ち、
接着剤側での応力集中により水晶振動素子と導電性接着剤との接着部に微小な剥離や応力
緩和が発生することがなくなり、導電性接着剤による水晶振動素子端部の保持状態が変わ
ることに起因した、特性劣化（周波数変動、等価抵抗値の変化）が発生する虞がなくなる
。
【００２３】
更に、図１に示した構成例では、被接続領域１１ｂの凸面（下面）２１と内部端子４と
の間で導電性接着剤５を加圧したとしてもさほど多くの導電性接着剤が外周方向へ漏出す
ることがない。特に、複数個（４個）の矩形の凹部から成る接着剤収容部２０を環状部２
２が包囲しているので、外周方向への漏出量を低減することができ、導電性接着剤が振動
領域１１ａに付着したり、近傍に位置する他の導体との間で短絡を起こす虞がなくなる。
なお、上記実施形態では、接着剤収容部２０を、４個の正方形の凹部、或いは貫通穴か
ら構成したがこれは一例に過ぎず、どのような形状の凹部、或いは貫通穴であってもよい
し、個数に制限はない。
【００２４】
次に、図２乃至図４は夫々接着剤収容部の変形例を示している。
まず、図２（ａ）及び（ｂ）は厚肉の被接続領域１１ｂの接着面（内部端子との対向面
）に形成する凹部、或いは貫通穴から成る接着剤収容部２０の構成を示す底面図及び断面
図であり、この実施形態に係る接着剤収容部２０は、幅の狭い長方形の凹部、或いは貫通
穴を２本（或いは２本以上）平行に配置した構成を備えている。この実施形態の接着剤収
容部によれば、図１の構成例の接着剤収容部よりも多い量の接着剤を収容することが可能
となる。
図示した例では、凹部（段差部）、或いは貫通穴としての接着剤収容部２０を水晶基板
の長手方向と並行な方向に延びる長方形としたが、水晶基板の長手方向と直交する方向へ
延びるように構成してもよい。
また、接着剤収容部２０を構成する凹部（或いは、貫通穴）の個数は複数である必要は
なく、一個であってもよい。
【００２５】
図３（ａ）及び（ｂ）は本発明の他の実施形態に係る接着剤収容部２０の構成を示す底
面図及び断面図である。この実施形態に係る接着剤収容部２０は、円形の凹部、或いは貫
通穴から成るものである。接着剤収容部の構成がシンプルなのでエッチングによる加工が
容易化すると共に、より多くの接着剤を保持することが可能となる。
なお、接着剤収容部２０は円形である必要はなく、正方形、三角形等の多角形であって
もよい。
【００２６】
図４（ａ）及び（ｂ）は本発明の他の実施形態に係る接着剤収容部２０の構成を示す底
面図、及び断面図である。この実施形態に係る接着剤収容部２０は、水晶基板１１として
ＡＴカット水晶板を使用することを前提としており、ＡＴカット水晶板の異方性を利用し
て他の実施形態に係る接着剤収容部よりも深くエッチングすることが可能となる。
水晶基板の面積が小さくなるとエッチング対象箇所となる被接続領域１１ｂの面積も狭
くなる。そのような場合に、図４に示した如く水晶基板の異方性を利用して幅の狭い凹部
でありながら深いために接着剤収容量の多い接着剤収容部を形成することができる。
【００２７】
次に、図５（ａ）（ｂ）及び（ｃ）は本発明に係る接着剤収容部を備えた水晶基板をフ
ォトリソグラフィ技術により製造する工程を示す図である。ここでは、図１に示した水晶
基板を製造する場合を一例として説明する。
図５（ａ）では厚さがｔである平板状の水晶原板３０を用意し、（ｂ）では水晶原板３
０片面上の被接続領域１１ｂに相当する範囲に、凹部となる領域を除いた凸面２１（環状
部２２を含む）となる部分に沿ってフォトレジスト膜３１を塗布する。（ｃ）ではこの状
態でフォトレジスト膜３１によりマスクされていない水晶基板面をエッチングすることに
より振動領域１１ａとなる範囲と、凹部となる範囲を厚さｔ’となるまで加工する。
【００２８】
この製造方法によって製造された水晶基板１１においては、振動領域１１ａとなる範囲
と、凹部となる範囲が同等の厚さｔ’となる。
なお、ｔ’＞ｔ１とすれば、凹部としての接着剤収容部の深さが図５（ｃ）の場合より
も深くなるので、より多くの接着剤を収容することができる。また、ｔ’＜ｔ１とすれば
、被接続領域内の薄肉部が図５（ｃ）の場合よりも厚くなるため、被接続領域の破損が生
じにくくなる。
接着剤収容部２０を貫通穴とする場合には、振動領域、及び凸面２１及び環状部２２を
マスクした状態で、凹部の内底面が貫通するまでエッチングすればよい。もしくは被接続
領域１１ｂの下面側にもフォトレジスト膜３１を塗布して、表裏両面から同時にエッチン
グを行えば、より短時間で貫通穴を形成することができる。
【００２９】
次に、図６（ａ）乃至（ｅ）は本発明に係る接着剤収容部を備えた水晶基板をフォトリ
ソグラフィ技術により製造する他の工程を示す図である。ここでも、図１に示した水晶基
板を製造する場合を一例として説明する。
図６（ａ）では厚さがｔである平板状の水晶原板３０を用意し、（ｂ）では水晶原板３
０の片面上の被接続領域１１ｂに相当する範囲に全面的にフォトレジスト膜３１を塗布す
る。（ｃ）ではマスクされていない振動領域１１ａの片面を所要の厚さｔ’’となるまで
エッチングすることにより、振動領域１１ａだけを薄肉化した水晶原板３０を形成する。
（ｄ）では水晶原板３０の被接続領域１１ｂに対して、凹部２０となる領域を除いた凸面
２１（環状部２２を含む）となる部分に沿ってフォトレジスト３２を塗布する。（ｅ）で
はこの状態でフォトレジスト３２によりマスクされていない被接続領域１１ｂの基板面を
エッチングすることにより振動領域１１ａが厚さｔ’となるまで加工する。
【００３０】
この製造方法によって製造された水晶基板１１においては、振動領域１１ａとなる範囲
と、凹部となる範囲が異なった厚さとなる。従って、振動領域を所望の肉厚となるまで薄
く加工することができる一方で、被接続領域１１ｂに形成する凹部の深さを適切にコント
ロールすることにより被接続領域全体としての強度を高めることができる。
接着剤収容部２０を貫通穴とする場合には、振動領域、及び凸面２１及び環状部２２を
マスクした状態で、凹部の内底面が貫通するまでエッチングすればよい。もしくは被接続
領域１１ｂの下面側にもフォトレジスト膜３２を塗布して、表裏両面から同時にエッチン
グを行えば、より短時間で貫通穴を形成することができる。
なお、図２乃至図４に示した他の実施形態に係る水晶基板１１についても、図５或いは
図６と同等の工程によって加工することができる。
上記工程によって製造された水晶基板１１を用いて水晶振動素子１０を製造する場合に
は、水晶基板１１の両主面に励振電極１２、リード電極１３を形成する。
【００３１】
次に、図７は本発明に係る水晶振動素子をシームリングを使用したタイプのパッケージ
に適用した構成例を示す縦断面図である。
この水晶振動子は、セラミックから成る平板状の底板４０の上面の周縁に沿って形成し
たメタライズ膜４１上に環状のシールリング４２を導電性接着手段より立設固定すると共
に、底板上に設けた内部端子４３に対して導電性接着剤４５により水晶振動素子１０の一
端部（被接続領域１１ｂ）下面を接着することにより片持ち支持したものである。この水
晶振動子を構成するパッケージ２は、底板４０と、メタライズ膜４１と、シールリング４
２と、を備えている。
水晶振動素子１０として、図１、或いは図２乃至図４に示したタイプを使用することに
より、接着剤使用量の増大による耐衝撃効果、及び導電性接着剤の外部への流出による不
具合を解消できる。特に、この水晶振動子にあっては、内部端子４３とシールリング４２
との間の距離が近接しているため、パッケージの小型化が進行するに連れて内部端子４３
とシールリング４２との間の距離が更に接近するが、接着剤収容部２０を備えた水晶振動
素子（水晶基板）を利用して導電性接着剤の流出を防止することにより、内部端子とシー
ルリングとの短絡による不具合（電気的特性の悪化）を解消することができる。
【００３２】
次に、図８（ａ）及び（ｂ）は本発明の他の実施形態に係る水晶振動子の構成を示す縦
断面図、及び要部平面図（蓋部材を取り外した状態の平面図）である。なお、上記各実施
形態と同一部分には同一符号を付して説明する。
この実施形態に係る水晶振動子は、水晶振動素子１０（水晶基板１１）の形状に特徴を
有している。即ち、この実施形態に係る水晶振動素子１０（水晶基板１１）は、パッケー
ジ２側に設けた内部端子（素子搭載用パッド）４上に水晶振動素子の被接続領域１１ｂを
接着する際に内部端子上に塗布された導電性接着剤５が水晶振動素子の振動領域１１ａ側
に流出することがないように接着剤堰き止め用の凸部５０を形成することにより、凸部５
０の反対側に位置する非凸面５１を接着剤収容部として利用した構成が特徴的である。
【００３３】
この実施形態に係る凸部５０は、水晶基板１１の下面から直交して突出した単一の板状
体であり、水晶基板の幅方向全長に沿って延在している。この凸部５０は、各リード電極
１３の端部に位置する各パッド１３ａを回避した位置（振動領域１１ａ側）に形成されて
いる。従って、図示のように導電性接着剤５を用いて内部端子（素子搭載用パッド）４上
に水晶基板端縁を接着する際に、導電性接着剤５が凸部５０よりもパッド１３ａ側に溜ま
るように作業することにより、導電性接着剤５が凸部５０を超えて振動領域側へ流動する
ことを防止できる。
なお、この例では凸部５０を水晶基板の幅方向全長に亘って延在する一本の長尺の板部
材としたが、各内部端子４と対応した位置に一個ずつ短尺の凸部５０を分割して配置する
ようにしてもよい。このように凸部５０を短尺に構成して各内部端子４と振動領域１１ａ
との間の領域に極限して配置することにより、凸部５０が振動領域１１ａに干渉してその
共振周波数に影響を与えることが少なくなる。
【００３４】
次に図９は図８の変形実施形態の要部平面図であり、この実施形態に係る凸部５０は短
尺の板部材であり、各内部端子４と対応した位置に一個ずつ配置されることにより、水晶
基板１１により押し潰されて各内部端子４上から振動領域１１ａ方向へ流動しようとする
導電性接着剤を堰き止めるように構成している。この実施形態に係る凸部５０は、水晶基
板１１の幅方向と平行ではなく、図示のように凸部５０の内側端部がパッド１３ａ側へ接
近するように傾斜している。このように構成することにより凸部５０が振動領域１１ａに
干渉してその共振周波数を変動させる虞が更に低減されることとなる。
なお、上記実施形態では凸部５０を直線状に構成したが、屈曲、或いは湾曲した形状と
して導電性接着剤の保持力を高めるようにしてもよい。
【００３５】
以上のように本発明の水晶振動子（圧電振動子）１は、パッケージ２と、パッケージに
収容された水晶基板（圧電基板）１１と、を備え、圧電基板１１は、パッケージ２に導電
性接着剤５を用いて接合される被接続領域（厚肉部）１１ｂと、被接続領域と連設一体化
された振動領域１１ａと、を有し、被接続領域１１ｂは、振動領域１１ａよりも厚肉の厚
肉部と、該厚肉部に設けた導電性接着剤収容部２０とを有し、導電性接着剤収容部２０は
、貫通穴、或いは段差部（凹部を含む）からなることを特徴としているが、厚肉部、及び
導電性接着剤収容部２０の形状、寸法（深さ、幅、長さ）を種々変更することにより導電
性接着剤保持能力（保持量）や被接続領域の強度を種々調整することができる。
即ち、図１０（ａ）（ｂ）及び（ｃ）は水晶基板１１の振動領域１１ａの厚さｔ’と、
厚肉部としての被接続領域１１ｂの厚さｔと、凹部（凹部）としての接着剤収容部２０の
深さｄとの関係を説明する要部断面図である。
（ａ）は振動領域１１ａの厚さｔ’と被接続領域１１ｂの厚さｔと接着剤収容部２０の
深さｄとの関係を、ｔ’＝ｔ−ｄとした場合（図１乃至図５を参照）を示している。
この構成を採用した場合には、接着剤収容部２０内への接着剤の収容量、及び被接続領
域１１ｂの実質厚みｄをある程度十分に確保できることとなる。
（ｂ）は振動領域１１ａの厚さｔ’と被接続領域１１ｂの厚さｔと接着剤収容部２０の
深さｄとの関係を、ｔ’＞ｔ−ｄとした場合（図６を参照）を示している。
この構成を採用した場合には、被接続領域１１ｂの実質厚みｔ２を振動領域１１ａの
厚さｔ’よりも厚くすることができるため、被接続領域１１ｂの強度を高めることができ
る。
（ｃ）は振動領域１１ａの厚さｔ’と被接続領域１１ｂの厚さｔと接着剤収容部２０の
深さｄとの関係を、ｔ’＜ｔ−ｄとした場合を示している。
【００３６】
この構成を採用した場合には、接着剤収容部２０の深さｄが大きくなるため接着剤収容
部２０内への接着剤の収容量を増量して接着強度を高めることができる。これによれば、
水晶振動子の小型化に応じて水晶振動素子１０の被接続領域１１ｂが薄くなったとしても
凹部内に収容される導電性接着剤量を十分に確保して接着力の低下を防ぐことができる。
これらの何れの実施形態においても導電性接着剤収容部２０としての凹部の外周を環状
部（環状凸部）により包囲しているため、接着剤の外部への流出を防止することができる
。
【００３７】
次に、図１１は被接続領域１１ｂ（厚肉部）にその厚み方向に貫通する貫通穴としての
接着剤収容部２０を設けた構成が特徴的である。
このように接着剤収容部２０を貫通穴とすることにより接着剤収容量を増大してパッケ
ージとの間の接合力を高めるだけでなく、貫通穴を包囲する環状部（環状凸部）が接着剤
が励振電極側へ流出することを防止する効果を高めることができる。なお、貫通穴と環状
部は、段差部を構成している。
また、接着剤収容部２０が凹部である場合には、凹部が深い程、凹部の内奥部にまで接
着剤が入りにくく内奥部に空気が溜まった状態となり易いが、貫通穴とすることによりそ
のような不具合を解消することができる。
また、接着剤収容部２０が凹部である場合には、凹部が深い程、凹部内奥部に位置する
接着剤に含まれる揮発性成分が抜ききれずに未硬化状態のままとなる虞があるが、貫通穴
の場合にはそのような不具合もない。
【００３８】
次に、図１２は図８、或いは図９の実施形態における接着剤堰き止め用の凸部５０の変
形例の構成を示す要部底面図である。
凸部５０は、被接続領域の少なくとも振動領域側に、導電性接着剤の堰き止め効果を有
する手段として設けられる。
本実施形態では、水晶基板の厚肉部１１ｂに突設した凸部５０の一側面に凹所５０ａを
設けることにより、凸部５０の一側面と導電性接着剤との接触面積を増大させて、水晶基
板とパッケージとの間の接合力を高めている。
凹所５０ａの形状は（ａ）のように矩形であってもよいし、（ｂ）のように円弧状であ
ってもよく、その形状に制限はない。
【００３９】
次に、図１３は本発明の一実施形態（図１の実施形態）に係る水晶振動子に対して発振
回路部品（ＩＣ部品）を組み付けることによって表面実装型の水晶発振器（圧電発振器）
とした構成例を示す縦断面図である。なお、水晶振動子を構成する各構成要素のうち図１
の実施形態と同一部分には同一符号を付して説明する。
この水晶発振器６０は、断面がＨ型のパッケージ（絶縁容器）６１の上部キャビティ６
２内に水晶振動素子１０を搭載すると共に、下部キャビティ６３内に発振回路、温度補償
回路等を構成するＩＣ部品（ベアチップ）６４を収容した構成を備えている。
水晶発振器６０は厚肉の被接続領域１１ｂの下面に接着剤収容部２０を備えており、内
部端子（素子搭載用パッド）４に対して導電性接着剤５によって接着固定されている。上
部キャビティ６２は金属蓋（蓋部材）１５により気密封止されている。
下部キャビティ６３を形成する外枠の下面には実装端子６５が配置されている。下部キ
ャビティ６３の天井面にはＩＣ部品６４をフリップチップ実装するためのＩＣ搭載用パッ
ド６６が形成されている。
【００４０】
このように本発明の水晶振動素子１０（水晶基板１１）を備えた水晶振動子１は、ＩＣ
部品６４を付加することにより表面実装型水晶発振器を構築することができる。
なお、上記構成例は一例に過ぎず、ＩＣ部品をパッケージに組み付ける際の組付け構造
は種々変形可能である。例えば、水晶振動子のキャビティ内にＩＣ部品を収容することも
可能である。
圧電振動子の一例として水晶振動子を例示したが、本発明は水晶以外の圧電材料を用い
た圧電デバイス一般に適用することができる。
また、本発明に係る接着剤収容部を備えた圧電振動素子（圧電基板）の構造は、図示説
明した如き平板状（短冊状）のタイプのみならず、振動領域が二股に分岐した音叉型、或
いは厚肉の圧電基板の中央部に凹陥部を設けたタイプ等々、あらゆるタイプの圧電振動素
子に適用することができる。
【符号の説明】
【００４１】
１…水晶振動子、２…パッケージ、３…キャビティ、４…内部端子、５…導電性接着剤
、６…実装端子、７…接続導体、１０…水晶振動素子、１１…水晶基板、１１ａ…振動領
域、１１ｂ…被接続領域、１２…励振電極、１３…リード電極、１３ａ…パッド、２０…
接着剤収容部、２１…凸面、２２…環状部、３０…水晶原板、３１…フォトレジスト膜、
３２…フォトレジスト、４０…底板、４１…メタライズ膜、４２…シールリング、４３…
内部端子、４５…導電性接着剤、５０…凸部、５０ａ…凹所、５１…非凸面、６０…水晶
発振器、６２…上部キャビティ、６３…下部キャビティ、６４…ＩＣ部品、６５…実装端
子、６６…ＩＣ搭載用パッド
【図１】
2009171591.tif 000003
【図２】
2009171591.tif 000004
【図３】
2009171591.tif 000005
【図４】
2009171591.tif 000006
【図５】
2009171591.tif 000007
【図６】
2009171591.tif 000008
【図７】
2009171591.tif 000009
【図８】
2009171591.tif 000010
【図９】
2009171591.tif 000011
【図１０】
2009171591.tif 000012
【図１１】
2009171591.tif 000013
【図１２】
2009171591.tif 000014
【図１３】
2009171591.tif 000015
【図１４】
2009171591.tif 000016
【図１５】
2009171591.tif 000017